(57)【要約】      （修正有）【課題】自動車のシートの座部と背部の両方の汚れ付着を防止することができるシートカバーを提供する。【解決手段】リアシートＲの座部Ｚの左右寸法Ｗと同一乃至それ以上の長辺長さと、座部Ｚの前後寸法と同一乃至それ以上の短辺長さとを有する細長略矩形状のカバー本体１を有し、座部Ｚに被覆状に敷設可能である。平面視90°回転した状態でリアシートＲの背部ＳのヘッドレストＨに係脱自在に取着する面状ファスナー付きベルト体３をカバー本体１の一方の短辺寄りに付設して、リアシートＲの左右いずれか寄りに於ける背部Ｓ及び座部Ｚに被覆可能であるように構成されている。また、フロントシートに上記の平面視90°回転した状態でも付設できる。【選択図】図２
0003131455.tif 000002
【実用新案登録請求の範囲】
【請求項１】
リアシート（Ｒ）の座部（Ｚ）の左右寸法（Ｗ）と同一乃至それ以上の長辺長さ（Ｌ1 ）と、上記座部（Ｚ）の前後寸法（Ａ）と同一乃至それ以上の短辺長さ（Ｌ2 ）とを有する細長略矩形状のカバー本体（１）を有し、上記座部（Ｚ）に被覆状に敷設可能であると共に、平面視90°回転した状態で、上記リアシート（Ｒ）の背部（Ｓ）の上端縁（Ｊ）若しくはヘッドレスト（Ｈ）、又は、フロントシートの背部の上端縁若しくはヘッドレストに、全体を係脱自在に取着するための面状ファスナー（６）を上記カバー本体（１）の少なくとも一方の短辺（４）寄りに付設して、上記リアシート（Ｒ）の左右いずれか寄りに於ける背部（Ｓ）若しくは座部（Ｚ）、又は、フロントシートの背部及び座部に、被覆可能であるように構成したことを特徴とするシートカバー。
【請求項２】
リアシート（Ｒ）の座部（Ｚ）の左右寸法（Ｗ）と同一乃至それ以上の長辺長さ（Ｌ1 ）と、上記座部（Ｚ）の前後寸法（Ａ）と同一乃至それ以上の短辺長さ（Ｌ2 ）とを有する細長略矩形状のカバー本体（１）を有し、上記座部（Ｚ）に被覆状に敷設可能であると共に、平面視90°回転した状態で、上記リアシート（Ｒ）又はフロントシートの背部（Ｓ）のヘッドレスト（Ｈ）に全体を係脱自在に取着するための面状ファスナー（２）付きベルト体（３）を上記カバー本体（１）の一方の短辺（４）寄りに付設して、上記リアシート（Ｒ）の左右いずれか寄りに於ける背部（Ｓ）若しくは座部（Ｚ）、又は、フロントシートの背部及び座部に、被覆可能であるように構成したことを特徴とするシートカバー。
【請求項３】
上記一方の短辺（４）側を折返して柏餅のようにヘッドレスト（Ｈ）を包み込み可能に構成した請求項２記載のシートカバー。
【考案の詳細な説明】
【技術分野】
【０００１】
本考案は、自動車のシートカバーに関する。
【背景技術】
【０００２】
従来、自動車のシートに、汚れ付着防止等の目的でシートカバーを敷設する（例えば、特許文献１参照）。
【０００３】
しかし、従来のシートカバーは、座部のみを被覆するものであり、背部が汚れるという欠点があった。
【特許文献１】特開２００５−２８７５５８号公報
【考案の開示】
【考案が解決しようとする課題】
【０００４】
解決しようとする課題は、背部が汚れる点である。
【課題を解決するための手段】
【０００５】
そこで、本考案に係るシートカバーは、リアシートの座部の左右寸法と同一乃至それ以上の長辺長さと、上記座部の前後寸法と同一乃至それ以上の短辺長さとを有する細長略矩形状のカバー本体を有し、上記座部に被覆状に敷設可能であると共に、平面視90°回転した状態で、上記リアシートの背部の上端縁若しくはヘッドレスト、又は、フロントシートの背部の上端縁若しくはヘッドレストに、全体を係脱自在に取着するための面状ファスナーを上記カバー本体の少なくとも一方の短辺寄りに付設して、上記リアシートの左右いずれか寄りに於ける背部若しくは座部、又は、フロントシートの背部及び座部に、被覆可能であるように構成したものである。
【０００６】
また、リアシートの座部の左右寸法と同一乃至それ以上の長辺長さと、上記座部の前後寸法と同一乃至それ以上の短辺長さとを有する細長略矩形状のカバー本体を有し、上記座部に被覆状に敷設可能であると共に、平面視90°回転した状態で、上記リアシート又はフロントシートの背部のヘッドレストに全体を係脱自在に取着するための面状ファスナー付きベルト体を上記カバー本体の一方の短辺寄りに付設して、上記リアシートの左右いずれか寄りに於ける背部若しくは座部、又は、フロントシートの背部及び座部に、被覆可能であるように構成したものである。
また、上記一方の短辺側を折返して柏餅のようにヘッドレストを包み込み可能に構成したものである。
【考案の効果】
【０００７】
本考案のシートカバーによれば、必要に応じてリアシートの座部と背部の両方の汚れ付着を防止することができる。すなわち、横長展開状態と縦長折曲状態の２つの態様で使用することができる。そして、状況により横長展開状態と縦長折曲状態を選択的に使い分けることができる。さらに、フロントシートに縦長折曲状態として、フロントシートの座部と背部の両方の汚れ付着を防止することもできる。
【考案を実施するための最良の形態】
【０００８】
図１〜図４は、本考案の第１の実施の形態の使用状態を示す。このシートカバーは、例えば、合成樹脂（合成ゴムを含む）又は天然繊維の布体から成る。そして、例えば、自動車のリアシートＲに付設される。図１は、横長展開状態を示す。図２〜図４は、縦長折曲状態を示す。すなわち、横長展開状態又は縦長折曲状態のうち所望の状態で使用することができる。
【０００９】
図２・図４・図５に示すように、リアシートＲの座部Ｚの左右寸法Ｗと同一乃至それ以上の長辺長さＬ1 と、座部Ｚの前後寸法Ａと同一乃至それ以上の短辺長さＬ2 とを有する細長略矩形状のカバー本体１を有する。そして、図１の横長展開状態として、座部Ｚに被覆状に敷設可能であるように構成されている。
【００１０】
さらに、平面視90°回転した状態（縦長展開状態）でリアシートＲのヘッドレストＨに全体を係脱自在に取着するための面状ファスナー２付きベルト体３をカバー本体１の一方の短辺４寄りに付設して、リアシートＲの左右いずれか寄り（図２では右寄り）に於ける背部Ｓ及び座部Ｚに被覆可能であるように構成されている。そして、上記一方の短辺４側を折返して柏餅のようにヘッドレストＲを包み込み可能に（形状・寸法が）構成されている。
【００１１】
具体的には、図５・図６に示すように、左右一対のベルト体３を有する。各ベルト体３は、雄面状ファスナー２ａ及び雌面状ファスナー２ｂを有する。左右一対のベルト体３の一方のベルト体３の雄面状ファスナー２ａと、他方のベルト体３の雌面状ファスナー２ｂを着脱させることにより、リアシートカバーをヘッドレストＨに（図１〜図４参照）係脱自在に取着する。
【００１２】
ベルト体３は、カバー本体１にベルト付設用面状ファスナー５にて着脱自在に付設されている。すなわち、カバー本体１又はベルト体３の一方に雄面状ファスナー５ａを有し、かつ、他方に雌面状ファスナー５ｂを有する。図６では、カバー本体１に雄面状ファスナー５ａを有し、かつ、ベルト体３に雌面状ファスナー５ｂを有する。カバー本体１の上記一方の短辺４近傍に、ヘッドレストＨに直接に係脱自在な直接取着用面状ファスナー７を有する。具体的には、雄面状ファスナー７ｂを有する。
【００１３】
図７は、第２の実施の形態を示す。平面視90°回転した状態（縦長展開状態）でリアシートＲの背部Ｓ（図１〜図４参照）の上端縁Ｊ又はヘッドレストＨに全体を係脱自在に取着するための取着用面状ファスナー６がカバー本体１の一方の短辺４寄りに付設されている。具体的には、（カバー本体１の２つの長辺８のそれぞれの）長辺８に沿ってかつ長手方向に所定間隔をもって雄面状ファスナー６ａと雌面状ファスナー６ｂが配設されている。なお、背部Ｓの上端縁Ｊに取着するのは、例えば、ヘッドレストＨを具備しない場合、又は、ヘッドレストＨを取り外した場合である。その他の構成は、第１の実施の形態と同様である。
【００１４】
図８は、第３の実施の形態を示す。縦長展開状態でリアシートＲの背部Ｓ（図１〜図４参照）の上端縁Ｊ又はヘッドレストＨに係脱自在に取着する取着用面状ファスナー６がカバー本体１の一方の短辺４寄りに付設されるとともに、カバー本体１の他方の短辺４寄りにも付設される。言い換えると、取着用面状ファスナー６がカバー本体１の両方の短辺４寄りに付設される。その他の構成は、第２の実施の形態と同様である。
【００１５】
なお、本考案は、設計変更可能であって、例えば、第１の実施の形態の直接取着用面状ファスナー７を省略するも良い。また、第２の実施の形態又は第３の実施の形態のシートカバーに、直接取着用面状ファスナー７を設けたものとするも良い。また、カバー本体１の任意の位置────例えば、座部Ｚと背部Ｓの境界線Ｋ（図２参照）近傍に対応する位置────に、リアシートＲに直接に係脱自在な直接取着用面状ファスナー７（雄面状ファスナー７ｂ）を有するも良い。また、図示省略するが、フロントシートに、図３と図４と同様に、90°回転した状態で、付設するも良い。
【００１６】
以上のように、本考案は、リアシートＲの座部Ｚの左右寸法Ｗと同一乃至それ以上の長辺長さＬ1 と、座部Ｚの前後寸法Ａと同一乃至それ以上の短辺長さＬ2 とを有する細長略矩形状のカバー本体１を有し、座部Ｚに被覆状に敷設可能であると共に、平面視90°回転した状態で、リアシートＲの背部Ｓの上端縁Ｊ若しくはヘッドレストＨ、又は、フロントシートの背部の上端縁若しくはヘッドレストに、全体を係脱自在に取着するための面状ファスナー６をカバー本体１の少なくとも一方の短辺４寄りに付設して、リアシートＲ及びフロントシートの左右いずれか寄りに於ける背部Ｓ若しくは座部Ｚ、又は、フロントシートの背部及び座部に、被覆可能であるように構成したので、リアシートＲ及びフロントシートの座部Ｚと背部Ｓの両方の汚れ付着を防止することができる。横長展開状態と縦長折曲状態の２つの態様で使用することができる。そして、状況により横長展開状態と縦長折曲状態を選択的に使い分けることができる。
【００１７】
また、リアシートＲの座部Ｚの左右寸法Ｗと同一乃至それ以上の長辺長さＬ1 と、座部Ｚの前後寸法Ａと同一乃至それ以上の短辺長さＬ2 とを有する細長略矩形状のカバー本体１を有し、座部Ｚに被覆状に敷設可能であると共に、平面視90°回転した状態で、リアシートＲ又はフロントシートの背部ＳのヘッドレストＨに全体を係脱自在に取着するための面状ファスナー２付きベルト体３をカバー本体１の一方の短辺４寄りに付設して、リアシートＲの左右いずれか寄りに於ける背部Ｓ若しくは座部Ｚ、又は、フロントシートの背部及び座部に、被覆可能であるように構成したので、リアシートＲ及びフロントシートの座部Ｚと背部Ｓの両方の汚れ付着を防止することができる。横長展開状態と縦長折曲状態の２つの態様で使用することができる。そして、状況により横長展開状態と縦長折曲状態を選択的に使い分けることができる。
【００１８】
また、一方の短辺４側を折返して柏餅のようにヘッドレストＨを包み込み可能に構成したので、容易に縦長折曲状態とすることができる。
【図面の簡単な説明】
【００１９】
【図１】第１の実施の形態の横長展開状態での使用状態を示す斜視図である。
【図２】縦長折曲状態での使用状態を示す斜視図である。
【図３】断面側面図である。
【図４】要部側面図である。
【図５】背面図である。
【図６】図５のＸ−Ｘ断面図である。
【図７】第２の実施の形態を示す背面図である。
【図８】第３の実施の形態を示す背面図である。
【符号の説明】
【００２０】
１  カバー本体
２  面状ファスナー
３  ベルト体
４  短辺
６  面状ファスナー
Ａ  前後寸法
Ｈ  ヘッドレスト
Ｊ  上端縁
Ｌ1 長辺長さ
Ｌ2 短辺長さ
Ｒ  リアシート
Ｓ  背部
Ｗ  左右寸法
Ｚ  座部
【図１】
0003131455.tif 000003
【図２】
0003131455.tif 000004
【図３】
0003131455.tif 000005
【図４】
0003131455.tif 000006
【図５】
0003131455.tif 000007
【図６】
0003131455.tif 000008
【図７】
0003131455.tif 000009
【図８】
0003131455.tif 000010